(57)【特許請求の範囲】
【請求項１】
２つ又はそれよりも多くの接続されたパック（４、６）を含む容器（２）であって、
１つ又はそれよりも多くの積層ブランク材で形成され、箱部（８）と該箱部（８）にヒンジ止めされた蓋（１０）とを含む第１のパック（４）と、
１つ又はそれよりも多くの積層ブランク材で形成され、かつ箱部（１４）と、前壁、後壁及び少なくとも２つの側壁を有する蓋（１６）であって、第２のパック（６）の当該後壁にわたって延びるヒンジ線に沿って該箱部（１４）に接続された蓋（１６）とを含む第２のヒンジ蓋パック（６）と、
を含み、  前記第１のパックを形成するための前記積層ブランク材は、前記第２のパックを形成するための前記積層ブランク材とは別のものであり、前記蓋（１６）の前記前壁は、該第２のパック（６）が閉じた位置にある時にその該前壁が前記第１のパック（４）の第１の壁に対抗して位置するように、該第１のパック（４）の該第１の壁の底部に固定される、
ことを特徴とする容器（２）。
【請求項２】
前記第１のパックの前記箱部（８）は、前壁、後壁及び少なくとも２つの側壁を有し、前記第２のパック（６）の前記蓋（１６）の前記前壁は、前記第１のパックの前記箱部（８）の前記前壁に固定されることを特徴とする請求項１に記載の容器（２）。
【請求項３】
前記第１のパック（４）が前記第２のパック（６）と異なる寸法であることを特徴とする請求項１又は請求項２に記載の容器（２）。
【請求項４】
箱部と、第３のパックの後壁にわたって延びるヒンジ線に沿って該箱部に接続された蓋とを含む第３のヒンジ蓋パックを更に含み、
前記第３のパックの蓋の壁が、前記第２のパックの前記前壁に固定される、
ことを特徴とする請求項１から請求項３のいずれか１項に記載の容器。
【発明の詳細な説明】
【技術分野】
【０００１】
本発明は、２つ又はそれよりも多くの接続されたパックを含む容器に関する。
【背景技術】
【０００２】
喫煙物品及び他の消費財は、通常は箱部と箱部の後壁にヒンジ止めされた蓋とを含むヒンジ式容器に包装されて販売されている。何らかの方法で互いに接続されている２つ又はそれよりも多くのヒンジ蓋パックを含む容器に喫煙物品を包装することは公知である。例えば、ＦＲ−Ａ−２，６１４，７２０は、互いに接続されてブックカバーのように互いに対してピボット回転可能な２つ又はそれよりも多くの立方体パックを含む喫煙物品のためのいわゆる「ブックレットパック」を開示している。
【先行技術文献】
【特許文献】
【０００３】
【特許文献１】ＦＲ−Ａ−２，６１４，７２０
【特許文献２】登録欧州共同体設計番号第０００５５７５９０号
【発明の概要】
【発明が解決しようとする課題】
【０００４】
容器内の喫煙物品又は他の消費財にアクセスするために新しい方法を消費者に提供する２つ又はそれよりも多くの接続されたパックを含む容器を提供することが望ましいと考えられる。簡単な方法で製造することができる２つ又はそれよりも多くの接続されたパックを含む容器を提供するも望ましいであろう。
【課題を解決するための手段】
【０００５】
本発明により、２つ又はそれよりも多くの接続されたパックを含む容器を提供し、容器は、１つ又はそれよりも多くの積層ブランク材で形成されかつ第１の壁を有する第１のパックと、１つ又はそれよりも多くの積層ブランク材で形成され、箱部と第２のパックの後壁にわたって延びるヒンジ線に沿って箱部に接続された蓋とを含む第２のヒンジ止めされた蓋パックとを含み、第１のパックを形成する積層ブランク材は、第２のパックを形成する積層ブランク材とは別のものであり、蓋の壁は、第１のパックの第１の壁に固定される。
【０００６】
用語「前面」、「背面」、「上面」、及び「底面」は、パックが直立位置にある時に、ヒンジ蓋パックの要素の相対位置を説明するために本明細書で使用される。ヒンジ蓋パックは、典型的には、パック内の物品が開いたパックの上部側面を通して取り出すことができるように、パックが開いている間消費者によって直立位置に保持される。本発明による容器を説明する時に、説明されるヒンジ蓋パックの向きに関係なくこれらの用語が使用される。
【０００７】
本明細書を通して、これらの用語は、ヒンジ蓋パックに対して以下のように使用される。上壁は、容器の箱部の開口部を含む蓋の壁である。底壁は、上壁に対向する壁である。上壁及び底壁は、いくつかの直立壁によって接続される。典型的には、蓋及び箱部は、直立壁、すなわち、前壁、後壁、及び少なくとも２つの側壁を有する。しかし、三角形断面のパックでは前壁がなくなっている。ヒンジは、後壁に設けられる。存在する場合、前壁は、後壁と対向する壁である。側壁は、残っている直立壁である。典型的には、ヒンジ蓋パックでは、後壁及び前壁は、主要な壁であり、すなわち、パックの中で表面積が最も大きい。いわゆる側面開放パックでは、ヒンジは、側壁がパックの主要な壁であるように２次的な壁に設けられる。正方形断面のパックでは、前壁、後壁、及び側壁は、全て主要な壁である。
【０００８】
本発明による容器の第１のパック及び第２のパックは、容器の生成中に第１及び第２のパックが個々の独立した工程段階で形成されて充填することができるように、別々の積層ブランク材で形成される。個々に形成されたパックは、その後、第２のパックの蓋の壁を第１のパックの第１の壁に固定することにより又は取り付けることによって互いに対して接続される。
本発明による容器の第１及び第２のパックは、中間の接続パネルなしに互いに対して直接接続される。本発明による容器は、従って、公知のパックと同じブランク材を使用してかつ公知のパックを製造するのに使用される装置を使用して簡単な方法で生成することができる。
【０００９】
好ましくは、第１のパックの第１の壁は、前壁又は側壁である。好ましくは、第１のパックの第１の壁に固定された第２のパックの蓋の壁は、蓋の前壁又は蓋の側壁である。有利な態様では、本発明による容器は、製造業者又は銘柄ロゴ、商標、スローガン、及び他の消費者情報をその上に表示することができるより大きな外部表面積を提供する。本発明の好ましい実施形態では、第２のパックが開いている時に、第１及び第２のパックの外面の一部分だけが露出されることになる。この部分は、従って、付加的な情報又はグラフィックを表示するのに使用することができる。
【００１０】
第１のパックは、外側シェルと外側シェル内の内側スライドとを含むスライド及びシェルパック、又は側面開放パックとすることができる。また、第２のパックは、登録欧州共同体設計番号第０００５５７５９０号に開示されているスライド式蓋パックとすることができる。
代替的にかつ好ましくは、第１のパックは、箱部及び箱部にヒンジ止めされた蓋を含むヒンジ蓋パックである。第１のヒンジ蓋パック及び第２のヒンジ蓋パックは、第１のヒンジ蓋パックを第２のヒンジ蓋パックとは独立して開放することができるように互いに接続することができる。代替的に、第１のヒンジ蓋パック及び第２のヒンジ蓋パックは、第１のヒンジ蓋パックを開放することができる前に第２のヒンジ蓋パックが少なくとも部分的に開放するように互いに接続することができる。
【００１１】
好ましくは、第１のパックがヒンジ蓋パックの場合、第２のパックの蓋の前壁は、第１のパックの箱部の前壁に固定される。特に好ましくは、第２のヒンジ蓋パックの蓋の前壁は、第２のパックが閉じた位置にある時に第１のパックの前壁が第２のパックの前壁に対抗して位置するように、第１のヒンジ蓋パックの箱部の前壁の下端に固定される。代替的に、第２のパックの蓋の前壁は、第１のパックの後壁の下端に取り付けることができる。
開いた位置では、第２のヒンジ蓋パックの箱部内の開口部は、パックの上面にある。同様に、開いた位置では、第１のヒンジ蓋パックの箱部内の開口部は、パックの上面にある。それによっていずれのパックに収容した物品も失う危険性なしに、消費者が第１のヒンジ蓋パック及び第２のヒンジ蓋パックを両方同時に開くことが可能になる。
【００１２】
本発明による容器は、好ましくは、第１のパックに対して第２のパックを移動させるために必ず正方向の力が加えられるように、閉じた位置から開いた位置まで第１のパックに関連して第２のパックの移動に対して抵抗する保持手段を更に含む。保持手段は、あらゆる適切な公知の磁石式ファスナ、機械式ファスナ、粘着式ファスナ、又はその組合せを含むことができる。例えば、保持手段は、１つ又はそれよりも多くの取外し可能な圧力作動式フック及びループ式ファスナ、スナップファスナ、又は他の合わせプラグ及びソケット式ファスナを含むことができる。
【００１３】
本発明の１つの好ましい実施形態では、第１のパックは、第２のヒンジ蓋パック及び第１のヒンジ蓋パックの箱部の両方にわたって閉じる蓋を含むヒンジ蓋パックである。第１のヒンジ蓋パックは、従って、保持手段として作用し、第２のパックが閉じた位置にある方式で第１及び第２のヒンジ蓋パックを共に保持する。第２のヒンジ蓋パックの蓋が開かれないうちに、第１のヒンジ蓋パックの蓋が開かれるべきである。反対に、第１のヒンジ蓋パックは、その蓋を開くことによって簡単に開くことができる。
【００１４】
本発明による容器の少なくとも１つのパックは、喫煙物品の束を収容するためのものである。喫煙物品は、例えば、着火端部シガレットのようなシガレット、又は電気式喫煙システムで使用するためのシガレット、シガー、又はシガレロとすることができる。好ましくは、第１のパック及び第２のパックの各々は、シガレットの個々の束を収容するためのものである。代替的に、第１のパック又は第２のパックの一方は、喫煙物品以外のタバコの吸い殻、フィルタ構成要素、マッチ、ライター、化粧品、又は情報のためのチラシ又はパンフレットのような１つ又はそれよりも多くの物品を収容するためのものである。
【００１５】
本発明による容器の第１のパック及び第２のパックは、それらの寸法の適切な選択により、異なる数のシガレットの個々の束を収容するように設計することができる。代替的に又は追加的に、第１のパック及び第２のパックは、異なる寸法のシガレット（例えば、異なる長さのシガレット、異なる周囲長のシガレット）の個々の束を収容するように設計することができる。第１のパック及び第２のパックは、例えば、ショート（例えば、約３０ｍｍと約７５ｍｍの間の長さ）、レギュラーサイズ（例えば、約８０ｍｍの長さ）、キングサイズ（例えば、約８４ｍｍの長さ）、スーパーキングサイズ、スリム、スーパースリム、又はワイドシガレットの異なる数の個々の束を収容するように設計することができる。
【００１６】
本発明による容器はまた、それらの第１及び第２のパックの寸法の適切な選択により、異なる総数の喫煙物品を保持するように設計することができる。例えば、本発明による容器は、組み合わせて、全部で２０のレギュラーサイズシガレットを収容するための第１及び第２のパックを含むことができる。第１のパックに収容される喫煙物品の数は、第２のパックに収容される喫煙物品の数と同じか又は異なるようにすることができる。
【００１７】
本発明による容器又はそれらの第１及び第２のパックの各々は、その寸法の適切な選択により、全部で例えば１０、１５、１６、１７、１８、１９、２０、２１、又は２５の喫煙物品を保持するように設計することができる。これらは、喫煙物品の総数に応じて異なる丁合に配列することができる。例えば、喫煙物品は、６、７、８、９、又は１０の１列に、５、６、７、８、９、又は１０の２列に、５−６、６−７、７−８の２列に、５−５−５、５−６−５、６−５−６、５−６−７、６−７−６、７−５−７、７−６−７、７−７−７、８−９−８の３列に、４、５、又は６の４列に配列することができる。
本発明による容器の第１のパック及び第２のパックの長さ、幅、及び深さは、第２のパックが閉じた位置にある方式で得られる容器の全体寸法が、例えば、２０の喫煙物品を保持する公知のヒンジ蓋の容器の全体寸法と実質的に同じになるようにすることができる。
【００１８】
本発明による容器は、異なる種類の喫煙物品の個々の束を収容するための第１のパック及び第２のパックを有利に含むことができる。様々な異なる種類のシガレットが生成されて販売されている。例えば、異なる特徴的風味を有する銘柄のシガレットを生成するために、Ｂｕｒ１ｅｙ、Ｏｒｉｅｎｔａ１、及びＶｉｒｇｉｎｉａタバコのような独立の特徴的風味及び芳香を有する異なる種類のタバコが単独で又はタバコ配合物で各種の量で使用される。更に、長さ（例えば、レギュラーサイズ、キングサイズ、又はスーパーキングサイズ）、周囲長（例えば、スリム又はスーパースリム）、風味の強度、吸引抵抗、及び全粒子状物質送出が異なるシガレットと同様に、フィルタなしシガレット及び多くの異なる種類のフィルタ先端部を有するシガレットの両方が製造されている。更に、メントールのような香味料を収容するシガレットも利用することができる。
【００１９】
本発明による容器は、異なるタバコ配合物又は香味のシガレットの個々の束を収容するための第１のパック及び第２のパックを含むことができる。代替的に又は追加的に、本発明による容器は、異なるサイズ（異なる長さ、異なる周囲長、又は両方）のシガレットの個々の束を収容するための第１のパック及び第２のパックを含むことができる。
好ましくは、本発明による容器の第１及び第２のパックは、実質的に平行六面体である。より好ましくは、本発明による容器の第１のパック及び第２のパックは、実質的に直平行六面体である。
【００２０】
好ましくは、本発明による容器の第１のパック及び第２のパックは、実質的に形状が同じである。本発明による容器の第１のパック及び第２のパックの寸法は、同じか又は異なるようにすることができる。好ましくは、本発明による容器の第１のパック及び第２のパックの寸法は異なっている。より好ましくは、第１のパック及び第２のパックは、実質的に長さ（又は高さ）と幅が同じであるが、深さが異なり、換言すれば、主要な壁のサイズが同じであるが、２次的な壁のサイズが異なる。好ましくは、パックが閉じている時に互いに当接する第１のパック及び第２のパックの面は、寸法が実質的に同じである。
【００２１】
本発明による容器の第１のパック及び第２のパックは、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はその組合せを有することができる。好ましくは、２つのパックの当接する壁の縦方向縁部は、２つのパックの縁部が当接する平滑な側面を容器が有するように直角である。
【００２２】
本発明による容器の第１のパック及び第２のパックは、好ましくは、１つ又はそれよりも多くの折り畳んだ積層ブランク材で形成され、より好ましくは、１つ又はそれよりも多くの折り畳んだ積層厚紙ブランク材で形成される。
第２のパックは、好ましくは、例えば、ホットメルト接着剤、接触接着剤、又は両面粘着テープを使用して、容器を形成するために第１のパックの第１の壁に接着される。しかし、第２のパックの蓋を第１のパックの第１の壁に固定するために、例えば、フック及びループ式ファスナ、磁石式ファスナ、又は他の合わせプラグ及びソケット式ファスナのような様々な他の公知の接続手段を利用することができることは認められるであろう。
【００２３】
本発明による容器の第１のパック及び第２のパックの外面には、製造業者又は銘柄ロゴ、商標、スローガン、及び他の消費者情報及び印しを印刷、エンボス、デボス、又はその他の方法で装飾することができる（例えば、ラベル又はステッカーを使用して）。同じか又は異なる製造業者又は銘柄ロゴ、商標、スローガン、及び他の消費者情報及び印しを第１のパック及び第２のパックの外面に付加することができることは認められるであろう。
【００２４】
第１のパック又は第２のパックの少なくとも一方又は両方には、パックの開閉中のパック表面上の消費者のグリップを改善するための摩擦のより高い外面を少なくとも部分的に付加することができる。好ましくは、第１のパックの２つの側壁には、少なくとも部分的にそのような高摩擦面が付加される。代替的に又は追加的に、第１のパック、又は第２のパック、又はその両方は、第２のパックが開いている時だけ露出する少なくとも１つの面上に鏡面を含むことができる。
【００２５】
第１のパック及び第２のパックの外面は、パックが両方閉じている時に容器が単一パックの外観を有するように印刷することができる。代替的に、第１のパック及び第２のパックの外面は、互いに対して明暗を有するように及び消費者がパックを互いから容易に識別するように印刷することができる。例えば、第１のパック及び第２のパックに喫煙物品の異なる銘柄が収容される場合には、そのパック内に収容される喫煙物品の銘柄に関連するパックの各々にマーケット及び消費者情報を印刷することができるので、これが望ましいことがある。
【００２６】
第１のパック、又は第２のパック、又はその両方の蓋の内面にも印刷することができる。例えば、第２のパックの蓋の内面には、第２のパックが開いた位置にある時に及び第２のパックの蓋の内面が露出した時に画像が続くように又はそれが完成するように、第１のパックの第１の壁に印刷された画像の続きを印刷することができる。
容器には、例えば、１つ又はそれよりも多くの矢印又は説明文で容器を開く方向を表示するための印しを印刷することができる。
【００２７】
本発明による容器は、２つよりも多いパック、例えば、３つ、４つ、５つ、又は６つのパックを含むことができる。第３の及びそれ以降のパックは、第１のパック及び第２のパックが接続されたのと同じか又は異なる方式で１つ又はそれよりも多くの他のパックに接続することができる。例えば、第３のヒンジ蓋パックは、第３のパックの蓋の前壁を第２のパックの箱部の前壁に取り付けることによって第２のヒンジ蓋パックの蓋の前壁が第１のパックの箱部の前壁に固定された上述の容器に含むことができる。閉じた位置では、第３のパックは、第２のパックの蓋が第３のパック及び第２のパックの箱部の両方の上を閉じる方式で第１のパックと第２のパックの間に位置する。第２のパックを開くために、第２のパックの箱部と第３のパックとが、第１のパックから隔てられた第２のパックの後壁内のヒンジ線に沿って一緒に回転する（２つだけのパックを有する本発明による容器内の第２のパックを開くために上述したものと同じ方法で）。第３のパックは、次に、第２のパックから隔てられるように、その後壁内のヒンジ線に沿ってそれを回転させることによって開くことができる。第３のパックは、同じか又は異なる喫煙物品又は他の品目を第１のパック及び第２のパックに収容することができる。
【００２８】
本発明による容器は、例えばポリエチレン又はポリプロピレンのような透明なポリマーフィルムを用いて公知の方法で収縮包装又はその他の方法で上包装することができる。本発明による容器が上包装される場合、上包装は、開封テープを含むことができる。好ましくは、開封テープは、消費者が開封テープを引っ張った時に上包装全体を取り外しすることができるようにパックの周りで垂直方向に延びている。
【００２９】
本発明はまた、上述のように、本発明による容器を生成する方法を提供する。本方法は、１つ又はそれよりも多くの積層ブランク材から第１のパックを形成する段階と、１つ又はそれよりも多くの積層ブランク材から第２のパックを形成する段階と、第２のパックの蓋の壁に接着剤を付加する段階と、第１のパックの第１の壁に対して、接着剤が既に付加された第２のパックの蓋の壁を固定する段階とを含む。
好ましくは、接着剤の付加及び第１のパックに対する第２のパックの固定は、ラインにおいて行われる。有利な態様においては、従って、本発明による容器を生成するのに必要な付加的な段階を組み込むために、公知のパックを作るための既存の方法及び装置に対して簡単な修正だけが必要になる。
本発明を単に一例として添付図面を参照して以下に説明する。
【図面の簡単な説明】
【００３０】
【図１】第１のパック及び第２のパックの両方が閉じた方式の本発明の好ましい実施形態の容器の側面図である。
【図２】図１に示す容器の第２の蓋を開ける方法を示す図である。
【発明を実施するための形態】
【００３１】
図１及び２に示す容器２は、実質的に立方体形状であり、第２のヒンジ蓋パック６に接続された第１のヒンジ蓋パック４を含む。第１のヒンジ蓋パック４は、フィルタ付きシガレットの２列の包まれた束を収容し、箱部８と箱部８の後壁にヒンジ止めされた蓋１０とを含む公知のヒンジ蓋パックと類似の構造を有する。第２のヒンジ蓋パック６は、フィルタ付きシガレットの１列の包まれた束１２を収容し、箱部１４と箱部１４の後壁にヒンジ止めされた蓋１６とを含む公知のヒンジ蓋パックと類似の構造を同じく有する。第１のパック４及び第２のパック６は、両方とも立方体形状であり、互いに同じ高さと幅を有するが、第２のパック６の深さは、それが収容するシガレットの列が１列少ないために第１のパック４の深さの約半分である。
【００３２】
第２のパック６の蓋１６の前壁は、第２のパック６の蓋１６の上壁及び第１のパック４の箱部６の底壁が実質的に同一平面上にありかつ容器２の底壁を形成するように、第１のパック４の箱部８の前壁の下端に接着剤１８の手段によって固定される。図１に示すように、第１のパック４及び第２のパック６が両方とも閉じた位置にある時に、それらの前面は、第１のパックの前壁が第２のパックによって全体的に覆われるように、またその逆になるように、それらの前壁が実質的に重なって互いに対抗して位置する。
【００３３】
図２は、内部に収容されたシガレットにアクセスするために、第２のパックを開く１つの実施可能な方法を示している。第１のパック４が直立位置に保持される一方、第２のパック６の箱部１４は、図２に矢印で表示した方向に、第２のパック６の後壁内のヒンジ線の周りで第１のパック４から離れるように回転する。第２のパック６の蓋１６が第１のパックに固定されたままになり、従って、第２のパック６の箱部１４が第１のパック４から離れるように回転する時に、第２のパック６の箱部１４内の開口部が露出する。
第２のパック６が少なくとも部分的に開かれた状態で、第１のパック４は、第１のパック４の後壁のヒンジ線の周りで第１のパック４の蓋１０をピボット回転させることによって開くことができる。
【００３４】
上述のように容器２を形成するために、第１のヒンジ蓋パック４及び第２のヒンジ蓋パック６は、公知の方法でそれぞれ積層厚紙ブランク材から形成され、シガレットの包まれた束が充填される。直方体容器２をもたらすために第１のパック４及び第２のパック６が互いに並ぶように、第２のパック６の蓋１６の前壁に接着剤１８が付加され、かつ接着剤１８が付加された第２のパック６の蓋１６の前壁が第１のパック４の前壁の下端に固定される。接続された第１のパック４及び第２のパック６を含む容器２は、次に、透明フィルム（図示せず）を用いて公知の方法で上包装される。
【符号の説明】
【００３５】
２  容器
４  第１のパック
６  第２のヒンジ蓋パック
１４  箱部
１６  蓋
【図１】
0005506694.tif 000002
【図２】
0005506694.tif 000003